(57)【特許請求の範囲】
【請求項１】
互いに直交する上下方向と横方向と前後方向とを有し、腹側部と背側部と胴回り開口と一対の脚回り開口とを有するパンツ型使い捨ておむつであって、
前記腹側部及び前記背側部は、前記横方向の伸縮性を有し、
前記腹側部と前記背側部とは前記前後方向に重なっており、
前記横方向の各端部において、前記腹側部と前記背側部とは連続し、
前記腹側部において前記胴回り開口となる上縁部及び前記背側部において前記胴回り開口となる上縁部のうちの少なくとも一方の上縁部は、前記各端部よりも前記横方向の内側の位置に、下方に延びたカット部を一つだけ有し、
前記おむつを前記前後方向から見た場合に、前記腹側部の前記上縁部及び前記背側部の前記上縁部が、それぞれ、前記横方向の全長に亘って、前記各端部における、前記腹側部の上端同士を結ぶ仮想直線よりも下方の位置又は前記仮想直線上に位置しており、
前記腹側部及び前記背側部のうちで前記カット部を有する方の部材は、当該部材に前記伸縮性を付与するための前記横方向に沿った弾性部材を前記上下方向に複数並んで有し、
前記複数の前記弾性部材のうちの少なくとも一つの弾性部材は、前記横方向における前記カット部の位置で非連続となっており、
排泄物を吸収する吸収性本体を有するとともに、前記吸収性本体は、液体吸収性の吸収性コアを有し、
前記部材は、前記吸収性コアが位置する第１領域と、前記第１領域の前記横方向の両側に位置して前記吸収性コアが位置しない第２領域と、を有し、
前記第１領域は、前記横方向において、当該第１領域の両端よりも内側に、前記弾性部材からの前記横方向の収縮力が作用しない所定領域を有し、 
前記横方向における前記カット部の中央の配置位置は、前記所定領域における前記横方向の両端よりも内側に収まっており、
前記横方向における前記カット部の配置位置は、前記所定領域における前記横方向の両端よりも外側にはみ出し、且つ、前記吸収性本体における前記横方向の両端よりも内側に収まっていることを特徴とするパンツ型使い捨ておむつ。
【請求項２】
請求項１に記載のパンツ型使い捨ておむつであって、
前記非連続の前記弾性部材の前記上下方向の配置位置は、前記カット部が存在する前記上下方向の範囲に含まれていることを特徴とするパンツ型使い捨ておむつ。
【請求項３】
請求項２に記載のパンツ型使い捨ておむつであって、
前記非連続の前記弾性部材は、前記カット部から前記端部まで前記横方向に連続していることを特徴とするパンツ型使い捨ておむつ。
【請求項４】
請求項１乃至３の何れかに記載のパンツ型使い捨ておむつであって、
排泄物を吸収する吸収性本体を有し、
前記吸収性本体の上端は、前記カット部の下端よりも下方に離間して位置していることを特徴とするパンツ型使い捨ておむつ。
【請求項５】
請求項４に記載のパンツ型使い捨ておむつであって、
前記カット部の前記下端と前記吸収性本体の前記上端との間の位置には、前記複数の前記弾性部材のうちの少なくとも一つの弾性部材が、前記横方向における前記カット部の位置を前記横方向に跨ぐように延在していることを特徴とするパンツ型使い捨ておむつ。
【請求項６】
請求項４又は５に記載のパンツ型使い捨ておむつであって、
前記吸収性本体は、液体吸収性の吸収性コアを有し、
前記吸収性コアの上端は、前記吸収性本体の前記上端よりも下方に離間して位置し、
前記吸収性本体の前記上端と前記吸収性コアの前記上端との間の位置には、前記複数の前記弾性部材のうちの少なくとも一つの弾性部材が、前記横方向における前記カット部の位置を前記横方向に跨ぐように延在していることを特徴とするパンツ型使い捨ておむつ。
【請求項７】
請求項１乃至６の何れかに記載のパンツ型使い捨ておむつであって、
前記カット部は、前記腹側部に設けられていることを特徴とするパンツ型使い捨ておむつ。
【請求項８】
請求項１乃至７の何れかに記載のパンツ型使い捨ておむつであって、
前記カット部は、前記おむつにおける前記横方向の中央部に位置していることを特徴とするパンツ型使い捨ておむつ。
【請求項９】
請求項１乃至８の何れかに記載のパンツ型使い捨ておむつであって、
前記カット部は、下方にへこんだ凹部であることを特徴とするパンツ型使い捨ておむつ。
【請求項１０】
請求項１乃至９の何れかに記載のパンツ型使い捨ておむつであって、
前記カット部は、前記腹側部における前記横方向の中央部に位置しつつ、下方にへこんだ凹部であることを特徴とするパンツ型使い捨ておむつ。
【請求項１１】
請求項１乃至１０の何れかに記載のパンツ型使い捨ておむつであって、
前記カット部は、前記腹側部と前記背側部とに、それぞれ一つずつ設けられていることを特徴とするパンツ型使い捨ておむつ。
【請求項１２】
請求項１乃至１１の何れかに記載のパンツ型使い捨ておむつであって、
前記上縁部が、前記端部から前記カット部の上端までに亘って直線状に形成されていることを特徴とするパンツ型使い捨ておむつ。
【請求項１３】
請求項１乃至１２の何れかに記載のパンツ型使い捨ておむつであって、
前記腹側部及び前記背側部のうちで前記カット部を有する方の部材は、前記カット部を有するカット部含有部分を有し、
前記カット部含有部分は、前記カット部の縁部に沿って、周囲の色と異なる色の色違い領域を有していることを特徴とするパンツ型使い捨ておむつ。
【請求項１４】
請求項１乃至１３の何れかに記載のパンツ型使い捨ておむつであって、
前記伸縮性が無いと仮想した状態での前記上縁部の前記横方向の寸法を型紙寸法と定義し、
前記おむつに外力が作用せずに前記伸縮性に基づいて前記おむつが収縮した状態を自然状態と定義した場合に、
前記自然状態の前記おむつを前記横方向の前記各端部で前記横方向の両側に引っ張った際の、前記カット部を有する前記上縁部の前記横方向の寸法は、前記型紙寸法よりも大きいことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型使い捨ておむつ１’が使用されている。このおむつ１’は、図１に示すように、互いに直交する上下方向と横方向と前後方向とを有する。また、同おむつ１’は、着用者の前側に位置する腹側部３０’と、着用者の後側に位置する背側部４０’と、着用者の股下に位置する股下部２０’とを有する。そして、横方向の各端部１ｅｗ’,１ｅｗ’において腹側部３０’と背側部４０’とは連続していて、これにより、上方に胴回り開口ＢＨ’が形成されている。また、下方では、腹側部３０’と背側部４０’とが、股下部２０’を介して連続していて、これにより、股下部２０’の横方向の両側には、一対の脚回り開口ＬＨ’,ＬＨ’が形成されている。更に、腹側部３０’と背側部４０’とには、糸ゴム等の弾性部材３５’,４５’によって横方向の伸縮性が付与されている。
【０００３】
ここで、特許文献１には、かかるパンツ型使い捨ておむつ１’の一例として、同図１に示すように、背側部４０’の上縁部４０ＢＨ’が、横方向の上記各端部１ｅｗ’,１ｅｗ’ における上端よりも上方に突出したおむつ１’が開示されている。すなわち、横方向の上記各端部１ｅｗ’,１ｅｗ’における上端よりも上方に突出している突出部分４０ｕｐ’を背側部４０’は有している。そして、この突出部分４０ｕｐ’にも、弾性部材４５ｕｐ’が設けられていて、これにより、横方向の伸縮性が付与されている。
【０００４】
一方、着用者におむつ１’を履かせるときには、横方向の上記各端部１ｅｗ’,１ｅｗ’に手をかける等して、かかる手で同おむつ１’に対して横方向の両側に引っ張り力を付与し、これにより、胴回り開口ＢＨ’を横方向に広げた状態にする。
【先行技術文献】
【特許文献】
【０００５】
【特許文献１】特開２０１２−１９２１１５号
【発明の概要】
【発明が解決しようとする課題】
【０００６】
しかしながら、特許文献１のおむつ１’では、横方向の上記各端部１ｅｗ’,１ｅｗ’に付与された横方向の引っ張り力が、上述のおむつ１’の突出部分４０ｕｐ’に伝達し難いことから、当該突出部分４０ｕｐ’を横方向に伸ばし難く、その結果、総じておむつ１’の胴回り開口ＢＨ’を広げ難いという問題が想定される。
【０００７】
本発明は、上記のような従来の問題に鑑みてなされたものであって、その目的は、パンツ型使い捨ておむつの胴回り開口を横方向に広げ易くして当該おむつを履かせ易くすることにある。
【課題を解決するための手段】
【０００８】
上記目的を達成するための主たる発明は、
互いに直交する上下方向と横方向と前後方向とを有し、腹側部と背側部と胴回り開口と一対の脚回り開口とを有するパンツ型使い捨ておむつであって、
前記腹側部及び前記背側部は、前記横方向の伸縮性を有し、
前記腹側部と前記背側部とは前記前後方向に重なっており、
前記横方向の各端部において、前記腹側部と前記背側部とは連続し、
前記腹側部において前記胴回り開口となる上縁部及び前記背側部において前記胴回り開口となる上縁部のうちの少なくとも一方の上縁部は、前記各端部よりも前記横方向の内側の位置に、下方に延びたカット部を一つだけ有し、
前記おむつを前記前後方向から見た場合に、前記腹側部の前記上縁部及び前記背側部の前記上縁部が、それぞれ、前記横方向の全長に亘って、前記各端部における、前記腹側部の上端同士を結ぶ仮想直線よりも下方の位置又は前記仮想直線上に位置しており、
前記腹側部及び前記背側部のうちで前記カット部を有する方の部材は、当該部材に前記伸縮性を付与するための前記横方向に沿った弾性部材を前記上下方向に複数並んで有し、
前記複数の前記弾性部材のうちの少なくとも一つの弾性部材は、前記横方向における前記カット部の位置で非連続となっており、
排泄物を吸収する吸収性本体を有するとともに、前記吸収性本体は、液体吸収性の吸収性コアを有し、
前記部材は、前記吸収性コアが位置する第１領域と、前記第１領域の前記横方向の両側に位置して前記吸収性コアが位置しない第２領域と、を有し、
前記第１領域は、前記横方向において、当該第１領域の両端よりも内側に、前記弾性部材からの前記横方向の収縮力が作用しない所定領域を有し、 
前記横方向における前記カット部の中央の配置位置は、前記所定領域における前記横方向の両端よりも内側に収まっており、
前記横方向における前記カット部の配置位置は、前記所定領域における前記横方向の両端よりも外側にはみ出し、且つ、前記吸収性本体における前記横方向の両端よりも内側に収まっていることを特徴とするパンツ型使い捨ておむつである。
本発明の他の特徴については、本明細書及び添付図面の記載により明らかにする。
【発明の効果】
【０００９】
本発明によれば、パンツ型使い捨ておむつの胴回り開口を横方向に広げ易くして当該おむつを履かせ易くなる。
【図面の簡単な説明】
【００１０】
【図１】パンツ型使い捨ておむつ１’の一例の概略斜視図である。
【図２】本実施形態のパンツ型使い捨ておむつ１の一例としての３ピースタイプのおむつ１を腹側から見た概略斜視図である。
【図３Ａ】展開状態のおむつ１を肌側から見た概略平面図である。
【図３Ｂ】図３Ａ中のＢ−Ｂ断面図である。
【図４Ａ】本実施形態のパンツ型状態のおむつ１を腹側から見た概略平面図である。
【図４Ｂ】二つ以上の切り欠き部３７，３７を上縁部３１ＢＨが有する場合の不具合を説明するためのパンツ型状態のおむつ１の概略平面図である。
【図５】図５Ａは、腹側帯部材３１に代えて背側帯部材４１に切り欠き部３７を設けた場合のパンツ型状態のおむつ１の概略斜視図であり、図５Ｂは、腹側帯部材３１及び背側帯部材４１の両方に一つずつ切り欠き部３７，３７を設けた場合のパンツ型状態のおむつ１の概略斜視図である。
【図６Ａ】パンツ型状態のおむつ１の腹側帯部材３１を前側から見た概略拡大図である。
【図６Ｂ】横方向における切り欠き部３７の配置位置が、弾性部材３５ｄ（３５）による収縮力が概ね無い所定領域Ａ１ａに収まっている例を示す概略拡大図である。
【図７】パンツ型使い捨ておむつ１の変形例の説明図である。
【図８】図８Ａ及び図８Ｂは、それぞれ、腹側帯部材３１及び背側帯部材４１の各上縁部３１ＢＨ，４１ＢＨが全体的に仮想直線Ｌｕよりも下方に位置した例を示す概略平面図である。
【図９】一つの帯部材５１が横方向の両側においてそれぞれ折り返されることにより、おむつ１の横方向の各端部１ｅｗ，１ｅｗが折り曲げ部５１ｂｎの形態で形成される例を示す概略斜視図である。
【発明を実施するための形態】
【００１１】
本明細書及び添付図面の記載により、少なくとも以下の事項が明らかとなる。
互いに直交する上下方向と横方向と前後方向とを有し、腹側部と背側部と胴回り開口と一対の脚回り開口とを有するパンツ型使い捨ておむつであって、
前記腹側部及び前記背側部は、前記横方向の伸縮性を有し、
前記腹側部と前記背側部とは前記前後方向に重なっており、
前記横方向の各端部において前記腹側部と前記背側部とは連続し、
前記腹側部において前記胴回り開口となる上縁部及び前記背側部において前記胴回り開口となる上縁部のうちの少なくとも一方の上縁部は、前記各端部よりも前記横方向の内側の位置に、下方に延びたカット部を一つだけ有し、
前記おむつを前記前後方向から見た場合に、前記腹側部の前記上縁部及び前記背側部の前記上縁部が、それぞれ、前記横方向の全長に亘って、前記各端部における上端同士を結ぶ仮想直線よりも下方の位置又は前記仮想直線上に位置していることを特徴とするパンツ型使い捨ておむつである。
【００１２】
このようなパンツ型使い捨ておむつによれば、腹側部と背側部とは、横方向の各端部よりも上方に突出する部分を有していない。よって、当該各端部に手をかける等して横方向に広げると、その際に各端部に付与される横方向の引っ張り力は、腹側部及び背側部の各上縁部に速やかに伝わって、各上縁部は横方向に伸びる。そして、これにより、胴回り開口を横方向に円滑に広げることができて、その結果、おむつを履かせ易くなる。
また、上記のおむつは、上縁部にカット部を有している。よって、おむつを横方向に広げると、当該カット部が横方向に開くことから、その開く分だけ胴回り開口を更に大きく広げることができて、その結果、おむつを更に履かせ易くなる。
【００１３】
更に、カット部は、上記の上縁部に対して一つだけ設けられている。よって、上縁部に二つ以上のカット部が設けられた場合に起こり得る不具合、すなわち、上縁部のうちのカット部同士の間の部分に引っ張り力が伝達し難くなるという不具合を防ぐことができる。そして、これにより、横方向の各端部に付与される引っ張り力を、上縁部の横方向の略全長に亘って速やかに伝達することができて、その結果、胴回り開口をより円滑に広げることができる。
【００１４】
かかるパンツ型使い捨ておむつであって、
前記腹側部及び前記背側部のうちで前記カット部を有する方の部材は、当該部材に前記伸縮性を付与するための前記横方向に沿った弾性部材を前記上下方向に複数並んで有し、
前記複数の前記弾性部材のうちの少なくとも一つの弾性部材は、前記横方向における前記カット部の位置で非連続となっているとともに、前記非連続の前記弾性部材の前記上下方向の配置位置は、前記カット部が存在する前記上下方向の範囲に含まれているのが望ましい。
【００１５】
このようなパンツ型使い捨ておむつによれば、上記の少なくとも一つの弾性部材が、横方向におけるカット部の位置で非連続になっている。よって、上記部材を横方向に伸ばす際に要する引っ張り力を軽減することができて、これにより、胴回り開口を横方向に広げ易くなる。
【００１６】
かかるパンツ型使い捨ておむつであって、
前記非連続の前記弾性部材は、前記カット部から前記端部まで前記横方向に連続しているのが望ましい。
【００１７】
このようなパンツ型使い捨ておむつによれば、上記の非連続の弾性部材は、カット部から上記端部まで横方向に連続している。よって、胴回り開口の横方向の広い範囲に亘って当該胴回り開口に伸縮性を付与することができる。
【００１８】
かかるパンツ型使い捨ておむつであって、
排泄物を吸収する吸収性本体を有し、
前記吸収性本体の上端は、前記カット部の下端よりも下方に離間して位置しているのが望ましい。
【００１９】
このようなパンツ型使い捨ておむつによれば、吸収性本体にはカット部が形成されていない。よって、カット部を構成する部材の総量を少なくすることができて、これにより、総じてカット部の剛性を低くして、これを柔らかくすることができる。そして、その結果、着用者の肌へのカット部の当たり具合を良好にできる。
【００２０】
かかるパンツ型使い捨ておむつであって、
前記腹側部及び前記背側部のうちで前記カット部を有する方の部材は、当該部材に前記伸縮性を付与するための前記横方向に沿った弾性部材を前記上下方向に複数並んで有し、
前記カット部の前記下端と前記吸収性本体の前記上端との間の位置には、前記複数の前記弾性部材のうちの少なくとも一つの弾性部材が、前記横方向における前記カット部の位置を前記横方向に跨ぐように延在しているのが望ましい。
【００２１】
このようなパンツ型使い捨ておむつによれば、カット部が横方向に開くことに伴ってカット部の近傍に位置する吸収性本体の上端が着用者の肌から浮いてしまう事態を、上記カット部の位置を横方向に跨ぐように延在する弾性部材により防ぐことができる。そして、その結果、吸収性本体は、上端及びその近傍において着用者の肌への良好なフィット性を奏することができる。
【００２２】
かかるパンツ型使い捨ておむつであって、
前記吸収性本体は、液体吸収性の吸収性コアを有し、
前記吸収性コアの上端は、前記吸収性本体の前記上端よりも下方に離間して位置し、
前記吸収性本体の前記上端と前記吸収性コアの前記上端との間の位置には、前記複数の前記弾性部材のうちの少なくとも一つの弾性部材が、前記横方向における前記カット部の位置を前記横方向に跨ぐように延在しているのが望ましい。
【００２３】
このようなパンツ型使い捨ておむつによれば、カット部が横方向に開くことに伴ってカット部の近傍に位置する吸収性コアの上端が着用者の肌から大きく浮いてしまう事態を、上記カット部の位置を横方向に跨ぐように延在する弾性部材により防ぐことができる。そして、その結果、吸収性コアは、上端及びその近傍において着用者の肌への良好なフィット性を奏することができる。
【００２４】
かかるパンツ型使い捨ておむつであって、
前記吸収性本体は、前記おむつにおける前記横方向の中央部に位置し、
前記横方向における前記カット部の配置位置は、前記吸収性本体における前記横方向の両端よりも内側に収まっているのが望ましい。
【００２５】
このようなパンツ型使い捨ておむつによれば、カット部は、おむつにおける横方向の端側よりも中央側に位置している。よって、胴回り開口を広げるべくおむつの横方向の各端部にかけられた手がカット部に掛かってしまうことを防ぐことができて、これにより、当該カット部が横方向に開かなくなる事態を回避することができる。そして、これにより、カット部はしっかりと開くことができて、その結果、胴回り開口を広げることに有効に寄与する。
【００２６】
かかるパンツ型使い捨ておむつであって、
前記腹側部及び前記背側部のうちで前記カット部を有する方の部材は、当該部材に前記伸縮性を付与するための前記横方向に沿った弾性部材を前記上下方向に複数並んで有し、
排泄物を吸収する吸収性本体を有するとともに、前記吸収性本体は、液体吸収性の吸収性コアを有し、
前記部材は、前記吸収性コアが位置する第１領域と、前記第１領域の前記横方向の両側に位置して前記吸収性コアが位置しない第２領域と、を有し、
前記第１領域における少なくとも所定領域に前記弾性部材から付与される前記横方向の収縮力の大きさは、前記弾性部材から前記第２領域に付与される前記横方向の収縮力の大きさよりも小さく、
前記横方向における前記カット部の少なくとも一部の配置位置は、前記所定領域における前記横方向の両端よりも内側に収まっているのが望ましい。
【００２７】
このようなパンツ型使い捨ておむつによれば、カット部の少なくとも一部の配置位置は、上記所定領域における横方向の両端よりも内側に位置しているが、ここで、当該所定領域での収縮力の大きさが小さいことから、カット部は横方向に開き易くなっている。よって、横方向の各端部にかけられた手から付与される横方向の引っ張り力は、カット部に速やかに作用して、これにより、カット部は速やかに横方向に開くことができる。
【００２８】
かかるパンツ型使い捨ておむつであって、
前記横方向における前記カット部の配置位置は、前記所定領域における前記横方向の両端よりも内側に収まっているのが望ましい。
【００２９】
このようなパンツ型使い捨ておむつによれば、カット部の配置位置は、上記所定領域における横方向の両端よりも内側に位置しているが、ここで、当該所定領域での収縮力の大きさが小さいことから、カット部は横方向に開き易くなっている。よって、横方向の各端部にかけられた手から付与される横方向の引っ張り力は、カット部に速やかに作用して、これにより、カット部は速やかに横方向に開くことができる。
【００３０】
かかるパンツ型使い捨ておむつであって、
前記カット部は、前記腹側部に設けられているのが望ましい。
【００３１】
このようなパンツ型使い捨ておむつによれば、カット部は腹側部に設けられているので、カット部の横方向の開きに基づいて、腹側部のお腹の締め付けを軽減することができる。そして、これにより、お腹が楽になる。
【００３２】
かかるパンツ型使い捨ておむつであって、
前記カット部は、前記おむつにおける前記横方向の中央部に位置しているのが望ましい。
【００３３】
このようなパンツ型使い捨ておむつによれば、カット部は、中央部に形成されているので、横方向に均等に開くようになる。また、上縁部での引っ張り力の伝達性についても、カット部の両側の各部分同士で概ね均等になる。よって、胴回り開口を広げ易くなる。
【００３４】
かかるパンツ型使い捨ておむつであって、
前記カット部は、下方にへこんだ凹部であるのが望ましい。
【００３５】
このようなパンツ型使い捨ておむつによれば、カット部は凹部であるので、カット部がスリット状の場合に起こり得るカット部の上端の横方向の両側に位置するコーナー部分の三角形状の折れ返りの発生等を防ぐことができる。
【００３６】
かかるパンツ型使い捨ておむつであって、
前記カット部は、前記腹側部における前記横方向の中央部に位置しつつ、下方にへこんだ凹部であるのが望ましい。
【００３７】
このようなパンツ型使い捨ておむつによれば、カット部は、腹側部における横方向の中央部に形成されているので、着用者のお臍におむつを当てないようにすることができる。よって、着用者のお臍におむつを当てたくない場合、例えば、新生児の臍が湿潤している場合や出血防止用のクリップが臍に取り付けられているような場合に好適なおむつとなる。
【００３８】
かかるパンツ型使い捨ておむつであって、
前記カット部は、前記腹側部と前記背側部とに、それぞれ一つずつ設けられているのが望ましい。
【００３９】
このようなパンツ型使い捨ておむつによれば、横方向の両側に引っ張り力を加えた際に開くことが可能なカット部を腹側部及び背側部の両方に有しているので、胴回り開口をより広げ易くなる。
また、カット部は、腹側部と背側部とでそれぞれ一つずつ設けられている。よって、少なくとも一方の上縁部に二つ以上のカット部が設けられた場合に起こり得る不具合、すなわち、当該上縁部のうちのカット部同士の間の部分に引っ張り力が伝達し難くなるという不具合を防ぐことができる。そして、これにより、横方向の各端部に付与される引っ張り力を、腹側部及び背側部の各上縁部に対してそれぞれ横方向の略全長に亘って速やかに伝達することができて、その結果、胴回り開口をより円滑に広げることができる。
【００４０】
かかるパンツ型使い捨ておむつであって、
前記上縁部が、前記端部から前記カット部の上端までに亘って直線状に形成されているのが望ましい。
【００４１】
このようなパンツ型使い捨ておむつによれば、上縁部は、横方向の上記端部からカット部の上端まで直線状に形成されているので、上記端部に付与される引っ張り力が上縁部の略全域に亘って伝わり易くなる。そして、これにより、引っ張り力が伝わらない部分に起こり得る折れ返り等を有効に防ぎながら、胴回り開口を広げることができる。
【００４２】
かかるパンツ型使い捨ておむつであって、
前記腹側部及び前記背側部のうちで前記凹部を有する方の部材は、前記カット部を有するカット部含有部分を有し、
前記カット部含有部分は、前記カット部の縁部に沿って、周囲の色と異なる色の色違い領域を有しているのが望ましい。
【００４３】
このようなパンツ型使い捨ておむつによれば、カット部の開き状況を目視確認し易くなる。そして、これにより、胴回り開口の広がり具合を把握し易くなる。
【００４４】
かかるパンツ型使い捨ておむつであって、
前記伸縮性が無いと仮想した状態での前記上縁部の前記横方向の寸法を型紙寸法と定義し、
前記おむつに外力が作用せずに前記伸縮性に基づいて前記おむつが収縮した状態を自然状態と定義した場合に、
前記自然状態の前記おむつを前記横方向の前記各端部で前記横方向の両側に引っ張った際の、前記カット部を有する前記上縁部の前記横方向の寸法は、前記型紙寸法よりも大きいのが望ましい。
【００４５】
このようなパンツ型使い捨ておむつによれば、自然状態のおむつを上記各端部で横方向の両側に引っ張った際には、カット部の横方向の開きに基づいて、上縁部の横方向の寸法は、型紙寸法よりも大きくなる。よって、胴回り開口を横方向に大きく広げることができて、おむつを履かせ易くなる。
【００４６】
＝＝＝本実施形態＝＝＝
図２は、本実施形態のパンツ型使い捨ておむつ１の一例としての３ピースタイプのおむつ１を腹側から見た概略斜視図である。また、図３Ａは、展開状態のおむつ１を肌側から見た概略平面図であり、図３Ｂは、図３Ａ中のＢ−Ｂ断面図である。
【００４７】
このおむつ１は、図２のパンツ型状態において、互いに直交する三方向として上下方向と横方向と前後方向とを有している。そして、以下では、このパンツ型状態において上下方向の上側及び下側のことを、それぞれ「胴回り開口側」及び「股下側」とも言い、また、前後方向の前側及び後側のことを、それぞれ「腹側」及び「背側」とも言う。
一方、図３Ａ及び図３Ｂの展開状態においては、おむつ１は、互いに直交する三方向として縦方向と横方向と厚さ方向とを有している。そして、以下では、この展開状態において縦方向の一方側及び他方側のことをそれぞれ「腹側」及び「背側」とも言い、また、厚さ方向の一方側及び他方側のことをそれぞれ「肌側」及び「非肌側」とも言う。
ちなみに、横方向については、パンツ型状態と展開状態とで互いに同じ意味である。一方、展開状態の縦方向は、パンツ型状態の上下方向に沿っているとともに、展開状態の厚さ方向は、パンツ型状態の前後方向に沿っている。
【００４８】
このおむつ１は所謂３ピースタイプであることから、図３Ａの展開状態において、第１部品として、排泄物を吸収する吸収性本体１０を有し、第２部品として腹側帯部材３１を有し、第３部品として背側帯部材４１を有している。詳しくは、腹側帯部材３１と背側帯部材４１とが縦方向に間隔をあけて平行に並んだ状態において、これら両者３１，４１同士の間に吸収性本体１０が掛け渡されつつ、同吸収性本体１０の縦方向の各端部１０ｅａ，１０ｅｂがそれぞれ最寄りの帯部材３１，４１に接合固定されていて、その外観形状は平面視略Ｈ形状をなしている。
そして、この略Ｈ形状の展開状態から、吸収性本体１０の縦方向の所定位置ＣＬ１０（縦方向におけるおむつ１の中央位置ＣＬ１に相当する位置）を折り位置として同吸収性本体１０が二つ折りされるとともに、この二つ折りの状態において互いに対向する帯部材３１，４１同士が横方向の各端部３１ｅ，４１ｅにて溶着等で接合されると、これら帯部材３１，４１同士が環状に繋がって、これにより、図２に示すような胴回り開口ＢＨ及び一対の脚回り開口ＬＨ，ＬＨが形成されたパンツ型状態のおむつ１となる。すなわち、上記端部３１ｅ，４１ｅ同士が接合されることにより、おむつ１の横方向の端部１ｅｗが形成されると、当該端部１ｅｗにおいて腹側帯部材３１と背側帯部材４１とは連続した状態となって、これにより、上方には胴回り開口ＢＨが形成され、下方には、一対の脚回り開口ＬＨ，ＬＨが形成された状態となる。
【００４９】
なお、このパンツ型状態（図２）では、おむつ１を、上述の３部品１０，３１，４１とは異なる単位で三つの部分２０，３０，４０に区分して捉えることができる。すなわち、同おむつ１を、着用者の前側に位置する腹側部３０と、同着用者の後側に位置する背側部４０と、着用者の股下に位置する股下部２０との三つの部分に区分することができる。そして、この例では、図３Ａに示すように、前者の腹側部３０は、腹側帯部材３１と、吸収性本体１０のうちで腹側帯部材３１と重なる部分１０ｐ１とを有し、股下部２０は、吸収性本体１０のうちで腹側帯部材３１及び背側帯部材４１から縦方向に突出する部分１０ｐ３を有し、背側部４０は、背側帯部材４１と、吸収性本体１０のうちで背側帯部材４１と重なる部分１０ｐ２と、を有している。
【００５０】
また、以下では、展開状態及びパンツ型状態のどちらについても、おむつ１に伸縮性を付与するための後述の弾性部材１６，１８，３５，４５による収縮力が全く無いものと仮想しておむつ１が広がった状態のことを「型紙状態」と言う。また、おむつ１に外力が作用しない状態、すなわち、同おむつ１が上記弾性部材１６，１８，３５，４５の収縮力によって収縮した状態のことを「自然状態」と言う。ちなみに、図３Ａ及び図３Ｂでは、展開状態のおむつ１を型紙状態で示している。
【００５１】
図３Ａ及び図３Ｂの展開状態においては、吸収性本体１０は、平面視略長方形状をなしている。そして、吸収性本体１０の長手方向が、縦方向に沿うように配されている。また、吸収性本体１０は、吸収体１１と、同吸収体１１を肌側から覆って設けられたトップシート１３と、同吸収体１１を非肌側から覆って設けられたバックシート１５と、を備えている。
【００５２】
吸収体１１は、液体吸収性の吸収性コア１１ｃと、同コア１１ｃの外周面を被覆する不図示のコアラップシートと、を有する。吸収性コア１１ｃは、所定の液体吸収性素材を所定形状の一例としての平面視略砂時計形状に成形した成形体である。液体吸収性素材としては、パルプ繊維等の液体吸収性繊維や、高吸収性ポリマー（所謂ＳＡＰ）等の液体吸収性粒状物を例示できる。また、コアラップシートには、ティッシュペーパーや不織布等の液透過性シートを使用可能であるが、コアラップシートについては無くても良い。また、吸収性コア１１ｃの形状は、何等上記の平面視略砂時計形状に限らず、他の形状でも良い。
【００５３】
トップシート１３は、吸収体１１から縦方向及び横方向に突出するような平面サイズの不織布等の液透過性のシートである。また、バックシート１５も、吸収体１１から縦方向及び横方向に突出するような平面サイズのシートであり、その一例としては、ポリエチレンフィルムやポリプロピレンフィルム等の液不透過性の防漏シート１５ａと、防漏シート１５ａの非肌側に貼り合わされた不織布製の外装シート１５ｂとを有した二層構造のラミネートシート１５が挙げられる（図３Ｂ）。そして、これらトップシート１３とバックシート１５との間に吸収体１１を挟んだ状態において、吸収体１１から縦方向及び横方向に突出した部分でこれら両シート１３，１５同士が例えば額縁状に接着や溶着等で接合されることにより、吸収性本体１０が形成されている。なお、バックシート１５は、外装シート１５ｂを有さずに、防漏シート１５ａだけを有していても良い。
【００５４】
また、この図３Ａの例にように、吸収性本体１０における吸収体１１よりも横方向の外側の各部分１０ＬＧに、それぞれ縦方向に伸縮するレッグギャザーＬＧを設けても良い。かかるレッグギャザーＬＧは、脚回り開口ＬＨの一部を構成する。また、レッグギャザーＬＧの伸縮性の付与は、上記の各部分１０ＬＧに、それぞれ縦方向に沿って糸ゴム等の弾性部材１６を縦方向に伸長した状態で固定することでなされる。すなわち、上記の各部分１０ＬＧには、弾性部材１６から縦方向の収縮力が付与されていて、これにより、外力の作用しない自然状態においては、当該各部分１０ＬＧが複数の襞を形成しながら縦方向に収縮している。よって、かかる襞が延びきるまでの伸縮性がレッグギャザーＬＧには付与されている。
【００５５】
更に、同図３の例のように、レッグギャザーＬＧよりも横方向の内側の位置に、一対のレッグサイドギャザーＬＳＧ，ＬＳＧが設けられていても良い。レッグサイドギャザーＬＳＧは、立体ギャザーとも呼ばれるものであり、排泄物の横方向の漏れを防止すべく、トップシート１３の肌側面から起立する。すなわち、トップシート１３の肌側面には、不織布製のレッグサイドギャザーシート１７が重ね合わせられているとともに、当該シート１７の一部（不図示）が、トップシート１３に固定されていて、これにより、同シート１７において当該一部よりも横方向の内側の部分１７ＬＳＧが、起立するようになっている。ちなみに、この内側の部分１７ＬＳＧの起立の実現は、同内側の部分１７ＬＳＧに、縦方向に沿って糸ゴム等の弾性部材１８が縦方向に伸長下で固定されることでなされている。すなわち、内側の部分１７ＬＳＧには、上記弾性部材１８から縦方向の収縮力が付与されていて、これにより、内側の部分１７ＬＳＧが複数の襞を形成しながら縦方向に収縮して、その結果、トップシート１３の肌側面から起立する。
【００５６】
図３Ａに示すように、腹側帯部材３１は、不織布等の柔軟なシートを素材とした平面視略矩形形状のシート部材である。この例では、図３Ｂに示すように、不織布３２，３３を二枚重ねに接合することで腹側帯部材３１は形成されている。そして、図３Ａ及び図３Ｂに示すように、腹側帯部材３１の横方向の中央部が、吸収性本体１０における縦方向の腹側の端部１０ｅａに非肌側から重ねられて接合されている。なお、かかる腹側帯部材３１のうちで吸収性本体１０から横方向に突出する部分における縦方向の端部３１ｅＬ（図３Ａ）は、脚回り開口ＬＨの一部を構成する。
【００５７】
また、図３Ａ及び図３Ｂに示すように、腹側帯部材３１に係る２枚の不織布３２，３３同士の間には、横方向に沿った糸ゴム等の複数本の弾性部材３５，３５…が縦方向に並んで介挿されつつ、横方向に伸長下で同不織布３２，３３に接合固定されている。そして、これにより、腹側帯部材３１には横方向の収縮力が付与されている。つまり、腹側帯部材３１には、横方向の伸縮性が付与されている。また、この例では、図３Ａに示すように、腹側帯部材３１において吸収体１１と重なる部分の一部（例えば、横方向の中央部）については、吸収体１１の皺の発生を防ぐ等の目的で、弾性部材３５が非連続とされていて、これにより、この部分については伸縮性が付与されていないが、何等これに限らない。また、この例では、後述する切り欠き部３７と縦方向の位置が同じ位置の弾性部材３５についても、当該切り欠き部３７の位置で非連続とされている。なお、弾性部材３５については後述する。
【００５８】
同図３Ａに示すように、背側帯部材４１は、不織布等の柔軟なシートを素材とした平面視略矩形形状のシート部材である。この例では、図３Ｂに示すように、不織布４２，４３を二枚重ねに接合することで背側帯部材４１は形成されている。そして、図３Ａ及び図３Ｂに示すように、背側帯部材４１の横方向の中央部が、吸収性本体１０における縦方向の背側の端部１０ｅｂに非肌側から重ねられて接合されている。なお、かかる背側帯部材４１のうちで吸収性本体１０から横方向に突出する部分における縦方向の端部４１ｅＬ（図３Ａ）は、脚回り開口ＬＨの一部を構成する。
【００５９】
また、図３Ａ及び図３Ｂに示すように、背側帯部材４１に係る２枚の不織布４２，４３同士の間には、横方向に沿った糸ゴム等の複数本の弾性部材４５，４５…が縦方向に並んで介挿されつつ、横方向に伸長下で同不織布４２，４３に接合固定されている。そして、これにより、背側帯部材４１には横方向の収縮力が付与されている。つまり、背側帯部材４１には、横方向の伸縮性が付与されている。また、この例では、図３Ａに示すように、背側帯部材４１において吸収体１１と重なる部分の一部（例えば、横方向の中央部）については、吸収体１１の皺の発生を防ぐ等の目的で、弾性部材４５が非連続とされていて、これにより、この部分については伸縮性が付与されていないが、何等これに限らない。
【００６０】
以上、おむつ１の主な構成部品１０，３１，４１について説明したが、本実施形態では、パンツ型状態のおむつ１を着用者に履かせる際に、同おむつ１の胴回り開口ＢＨを横方向に広げ易くなるように工夫されている。以下、この工夫について説明する。
図４Ａは、本実施形態のパンツ型状態のおむつ１を腹側から見た概略平面図である。  
本実施形態では、先ず、このパンツ型状態且つ自然状態（又は型紙状態）のおむつ１を前後方向から見た場合に、腹側部３０に属する腹側帯部材３１の上縁部３１ＢＨ及び背側部４０に属する背側帯部材４１の上縁部４１ＢＨが、それぞれ、横方向の全長に亘って、前述の各端部１ｅｗ,１ｅｗにおける上端１ｅｗｕ,１ｅｗｕ同士を結ぶ仮想直線Ｌｕよりも下方の位置又は仮想直線Ｌｕ上に位置している。詳しくは、この図４Ａの例では、腹側帯部材３１の上縁部３１ＢＨは、切り欠き部３７の位置では、仮想直線Ｌｕよりも下方に位置し、切り欠き部３７以外の位置では仮想直線Ｌｕ上に位置し、また、背側帯部材４１の上縁部４１ＢＨは、横方向の全長に亘って仮想直線Ｌｕ上に位置している。そして、これにより、腹側帯部材３１及び背側帯部材４１は、横方向の各端部１ｅｗ,１ｅｗにおける上端１ｅｗｕ，１ｅｗｕよりも上方に突出する突出部分（図１の突出部分４０ｕｐ’を参照）を有していない。
よって、当該各端部１ｅｗ,１ｅｗに手をかける等して横方向に広げると、その際に各端部１ｅｗ,１ｅｗに付与される横方向の引っ張り力Ｆは、腹側帯部材３１及び背側帯部材４１の各上縁部３１ＢＨ,４１ＢＨに速やかに伝わって、各上縁部３１ＢＨ,４１ＢＨは横方向に伸びる。そして、これにより、胴回り開口ＢＨを横方向に円滑に広げることができて、その結果、おむつ１を履かせ易くなる。
また、腹側帯部材３１の上縁部３１ＢＨは、カット部の一例として、周囲の部分よりも下方にへこむように切り欠かれた切り欠き部３７（凹部に相当）を有している。すなわち、当該上縁部３１ＢＨは、上記各端部１ｅｗ,１ｅｗよりも横方向の内側の位置に、下方に延びた切り欠き部３７を有している。
よって、おむつ１を横方向に広げると、当該切り欠き部３７が横方向に開くことから、その開く分だけ胴回り開口ＢＨを更に大きく広げることができる。すなわち、前述の型紙状態での腹側帯部材３１ＢＨの上縁部３１ＢＨの横方向の寸法Ｌ３１ＢＨを型紙寸法Ｌ３１ＢＨＫ（図３Ａ）と定義した場合に、図４Ａのパンツ型状態且つ自然状態のおむつ１を上記各端部１ｅｗ，１ｅｗで横方向の両側に引っ張った際には、切り欠き部３７の横方向の開きに基づいて、腹側帯部材３１の上縁部３１ＢＨの横方向の寸法Ｌ３１ＢＨは、上記の型紙寸法３１ＢＨＫよりも大きくなる。よって、胴回り開口ＢＨを横方向に大きく広げることができて、おむつ１を更に履かせ易くなる。
【００６１】
更に、切り欠き部３７は、腹側帯部材３１の上縁部３１ＢＨに対して一つだけ設けられている。よって、図４Ｂの参考例のように腹側帯部材３１の上縁部３１ＢＨに二つ以上の切り欠き部３７,３７が設けられた場合に起こり得る不具合、すなわち、上縁部３１ＢＨのうちの切り欠き部３７,３７同士の間の部分３１ＢＨＰＢに引っ張り力Ｆが伝達し難くなるという不具合を防ぐことができる。そして、これにより、横方向の各端部１ｅｗ,１ｅｗに付与される引っ張り力Ｆを、上縁部３１ＢＨの横方向の略全長に亘って速やかに伝達することができて、その結果、胴回り開口ＢＨをより円滑に広げることができる。
【００６２】
また、図４Ａに示すように、切り欠き部３７は、腹側帯部材３１における横方向の中央部に位置している。よって、切り欠き部３７は、横方向に均等に開くようになる。更に、上縁部３１ＢＨでの引っ張り力Ｆの伝達性についても、上縁部３１ＢＨのうちの切り欠き部３７の両側の各部分３１ＢＨＳ,３１ＢＨＳ同士で概ね均等になる。そして、このことも、胴回り開口ＢＨの広げ易さの向上に有効に寄与し得る。但し、何等これに限らない。すなわち、中央部から横方向にずれた位置に切り欠き部３７を形成しても良い。
【００６３】
なお、この図４Ａの例では、かかる切り欠き部３７は、型紙状態においては円弧状に湾曲した形状をなしている。そして、同型紙状態において切り欠き部３７の縦方向の寸法の最大値Ｌ３７ｄは、例えば１０ｍｍ〜３０ｍｍの範囲から選択され、この例では１５ｍｍであり、同切り欠き部３７の横方向の寸法の最大値Ｌ３７ｗは、例えば５０ｍｍ〜１００ｍｍの範囲から選択され、この例では８５ｍｍである。但し、切り欠き部３７の形状は、何等円弧状に限らない。例えば、矩形状や三角形状であっても良いし、これら以外の多角形形状であっても良い。また、曲線と直線とを組み合わせた複合形状でも構わない。
【００６４】
また、この図４Ａの例では、背側部４０に属する背側帯部材４１の上縁部４１ＢＨに対しては切り欠き部４７を設けていないが、何等これに限らない。例えば、図５Ａのように腹側帯部材３１の上記切り欠き部３７の代わりに背側帯部材４１に切り欠き部４７を設けても良いし、或いは、図５Ｂのように腹側帯部材３１の切り欠き部３７に加えて背側帯部材４１にも切り欠き部４７を設けても良い。なお、その場合には、上述と同じ理由から、図５Ａ及び図５Ｂに示すように、切り欠き部４７を、背側帯部材４１の上縁部４１ＢＨに一つだけ設けるのが望ましい。また、仮に腹側帯部材３１及び背側帯部材４１のどちらか一方にのみ切り欠き部３７（４７）を設ける場合には、当該切り欠き部３７を、腹側帯部材３１に設けるのが望ましい。そして、このようにすれば、切り欠き部３７の横方向の開きに基づいて、背中よりも膨らんだ形状のお腹への腹側帯部材３１の締め付けを軽減することができる。そして、これにより、お腹が楽なおむつ１を提供することができる。
更に、このように切り欠き部３７を腹側帯部材３１における横方向の中央部に設ければ、着用者のお臍におむつ１を当てないようにすることもできる。よって、着用者のお臍におむつ１を当てたくない場合、例えば、新生児の臍が湿潤している場合や出血防止用のクリップが臍に取り付けられているような場合に好適なおむつ１となる。
【００６５】
なお、以下で述べる腹側帯部材３１の切り欠き部３７等の説明は、基本的に背側帯部材４１に切り欠き部４７を設けた場合にもあてはまることである。そして、この背側帯部材４１に切り欠き部４７を設けた例については、以下の記載から類推可能であると考えられる。よって、背側帯部材４１に切り欠き部４７を設けた場合の説明については省略する。
【００６６】
図６Ａは、パンツ型状態のおむつ１の腹側帯部材３１を前側から見た概略拡大図である。なお、以下の説明では、この図６Ａのように、パンツ型状態の前提で説明する。また、以下の説明では、おむつ１は前述の自然状態にあるものとして説明するが、何等、型紙状態にあることを否定するものではない。つまり、特に断らない限り、以下の説明を、自然状態でのことと捉えても良いし、型紙状態でのこと捉えても良い。
【００６７】
前述のように、腹側帯部材３１には、同腹側帯部材３１に横方向の伸縮性を付与するための弾性部材３５，３５…が設けられている。すなわち、横方向に沿った複数の弾性部材３５，３５…が上下方向に並んで設けられている。そして、この例では、幾つかの弾性部材３５ａ（３５）が、横方向における切り欠き部３７の位置で非連続となっているとともに、当該非連続の弾性部材３５ａ（３５）の上下方向の配置位置は、切り欠き部３７が存在する上下方向の範囲Ａ３７に含まれている。よって、腹側帯部材３１を横方向に伸ばす際に要する引っ張り力Ｆを軽減することができて、これにより、胴回り開口ＢＨを横方向に広げ易くなる。また、切り欠き部３７には、非連続の弾性部材３５ａの収縮力が当該切り欠き部３７を横方向に開く方向に作用するので、切り欠き部３７を開き易くなって、このことも胴回り開口ＢＨを横方向に広げ易くすることに有効に寄与する。
【００６８】
また、この例では、かかる非連続の弾性部材３５ａは、切り欠き部３７から前述の端部１ｅｗまで横方向に連続して設けられている。よって、胴回り開口ＢＨの横方向の広い範囲に亘って当該胴回り開口ＢＨに伸縮性を付与することができる。
【００６９】
更に、この例では、吸収性本体１０の上端１０ｅｕは、切り欠き部３７の下端３７ｅｄよりも下方に離間して位置していて、これにより、吸収性本体１０には切り欠き部３７が形成されていない。よって、この例では、切り欠き部３７を構成する部材から吸収性本体１０を除外していて、つまり、切り欠き部３７を腹側帯部材３１のみで構成している。そして、これにより、切り欠き部３７を構成する部材の総量を少なくすることができて、これにより、切り欠き部３７の剛性の低下を通して、総じて当該切り欠き部３７を柔らかくすることができる。その結果、着用者の肌への切り欠き部３７の当たり具合を良好にできる。
【００７０】
また、この例では、切り欠き部３７の下端３７ｅｄと吸収性本体１０の上端１０ｅｕとの間の位置Ａ３１には、少なくとも一つの弾性部材３５の一例として１本の弾性部材３５ｂ（３５）が、横方向における切り欠き部３７の位置を横方向に跨ぐように延在している。例えば、当該弾性部材３５ｂ（３５）は、横方向の一方側の端部１ｅｗから切り欠き部３７の位置を経て横方向の他方側の端部１ｅｗまで連続して横方向に延在して設けられている。
【００７１】
よって、切り欠き部３７が横方向に開くことに伴って切り欠き部３７の近傍に位置する吸収性本体１０の上端１０ｅｕが着用者の肌から浮いてしまう事態を、上記の弾性部材３５ｂ（３５）によって防ぐことができる。そして、その結果、吸収性本体１０は、上端１０ｅｕ及びその近傍において着用者の肌への良好なフィット性を奏することができる。
【００７２】
更に、この例では、吸収性コア１１ｃの上端１１ｃｅｕは、吸収性本体１０の上端１０ｅｕよりも下方に離間して位置している。すなわち、この吸収性本体１０にあっては、前述のように、吸収性コア１１ｃよりも上方にトップシート１３とバックシート１５とが突出していて、この突出分だけ、吸収性コア１１ｃの上端１１ｃｅｕと吸収性本体１０の上端１０ｅｕとは上下方向に離間している。また、当該吸収性本体１０の上端１０ｅｕと吸収性コア１１ｃの上端１１ｃｅｕとの間の位置Ａ１０には、少なくとも一つの弾性部材３５の一例として３本の弾性部材３５ｃ（３５）が、横方向における切り欠き部３７の位置を横方向に跨ぐように延在している。例えば、当該弾性部材３５ｃ（３５）は、横方向の一方側の端部１ｅｗから切り欠き部３７の位置を経て横方向の他方側の端部１ｅｗまで連続して横方向に延在して設けられている。
【００７３】
よって、切り欠き部３７が横方向に開くことに伴って切り欠き部３７の近傍に位置する吸収性コア１１ｃの上端１１ｃｅｕが着用者の肌から大きく浮いてしまう事態を、上記の弾性部材３５ｃ（３５）によって防ぐことができる。そして、その結果、吸収性コア１１ｃは、上端１１ｃｅｕ及びその近傍において着用者の肌への良好なフィット性を奏することができる。
【００７４】
また、同図６Ａに示すように、この例では、吸収性本体１０は、おむつ１における横方向の中央部に設けられているが、横方向における切り欠き部３７の配置位置は、吸収性本体１０における横方向の両端Ｐ１０ｗ，Ｐ１０ｗよりも内側に収まっている。すなわち、切り欠き部３７は、吸収性本体１０よりも横方向の外側にはみ出しておらず、これにより、当該切り欠き部３７は、おむつ１における横方向の端側よりも中央側に位置している。よって、胴回り開口ＢＨを広げるべくおむつ１の横方向の各端部１ｅｗ，１ｅｗにかけられた手が切り欠き部３７に掛かってしまうことを防ぐことができて、これにより、当該切り欠き部３７が横方向に開かなくなる事態を回避することができる。そして、切り欠き部３７はしっかりと開くことができて、その結果、胴回り開口ＢＨを広げることに有効に寄与し得る。なお、この効果をより高めたい場合には、横方向における切り欠き部３７の配置位置を、吸収性コア１１ｃにおける横方向の両端Ｐ１１ｃｗ，Ｐ１１ｃｗよりも内側に収めると良く、この図６Ａの例では、そのようにもなっている。
【００７５】
更に、この例では、同図６Ａに示すように、腹側帯部材３１を、横方向に三つの領域Ａ１，Ａ２，Ａ２に区分して捉えることができる。すなわち、腹側帯部材３１を、吸収性コア１１ｃが位置する第１領域Ａ１と、第１領域Ａ１の横方向の両側に位置して吸収性コア１１ｃが位置しない第２領域Ａ２，Ａ２とに区分して捉えることができるが、その場合に、第１領域Ａ１における所定領域Ａ１ａでは、弾性部材３５ｄ（３５）が非連続とされていて、これにより、当該所定領域Ａ１ａに弾性部材３５ｄ（３５）から付与される横方向の収縮力の大きさは、同弾性部材３５ｄ（３５）から第２領域Ａ２に付与される横方向の収縮力の大きさよりも小さくなっている。より詳しくは、上記所定領域Ａ１ａでは、概ね収縮力が作用していない。また、横方向における切り欠き部３７の少なくとも一部（この例では中央部）の配置位置は、上記所定領域Ａ１ａにおける横方向の両端Ａ１ａｅｗ，Ａ１ａｅｗよりも内側に収まっている。
【００７６】
よって、この所定領域Ａ１ａでの収縮力の大きさが非常に小さいことに基づいて、切り欠き部３７は横方向に開き易くなっている。そして、これにより、横方向の各端部１ｅｗ，１ｅｗにかけられた手から付与される横方向の引っ張り力Ｆは、切り欠き部３７に速やかに作用し得て、その結果、切り欠き部３７は速やかに横方向に開くことができる。
【００７７】
なお、この効果を更に高めたい場合には、図６Ｂに示すように、横方向における切り欠き部３７の配置位置（つまり、切り欠き部３７の全部の配置位置）を、上記所定領域Ａ１ａにおける横方向の両端Ａ１ａｅｗ，Ａ１ａｅｗの内側に収めれば良い。
【００７８】
また、図６Ａに示すように、この例では、上縁部３１ＢＨは、上記端部１ｅｗから切り欠き部３７の上端３７ｅｕまでに亘って直線状に形成されている。よって、上記端部１ｅｗに付与される引っ張り力Ｆが上縁部３１ＢＨの略全域に亘って伝わり易くなる。そして、これにより、引っ張り力Ｆが伝わらない部分に起こり得る折れ返り等を有効に防ぎながら、胴回り開口ＢＨを広げることができる。
【００７９】
更に、腹側帯部材３１において切り欠き部３７を有する部分のことを、切り欠き部含有部分３７ｉｐ（カット部含有部分に相当）と言った場合に、望ましくは、この切り欠き部含有部分３７ｉｐが、切り欠き部３７の縁部に沿って、周囲の色と異なる色の色違い領域Ａ３７ｉｐ（図６Ａ中でドット模様の部分を参照）を有していると良い。
そして、このようになっていれば、切り欠き部３７の開き状況を目視確認し易くなることから、これを目安に、胴回り開口ＢＨの広がり具合を把握し易くなる。
【００８０】
なお、おむつ交換時に、この色違い領域Ａ３７ｉｐについては、非肌側からだけでなく肌側からも見ることが考えられる。そのため、この色違い領域Ａ３７ｉｐを非肌側及び肌側のうちの少なくとも一方側から視認可能にしていれば、上記の効果を相応に享受することができる。
また、この色違い領域Ａ３７ｉｐを着色によって切り欠き部含有部分３７ｉｐに形成する場合には、上記のような理由から、当該着色を非肌側から行っても良いし肌側から行っても良い。但し、この例では、腹側帯部材３１は、不織布３２,３３で形成されている。そのため、当該腹側帯部材３１を透かす形で、非肌側又は肌側に存在するものを、その逆側からも視認可能である。よって、切り欠き部含有部分３７ｉｐを非肌側及び肌側のどちらから着色しても、色違い領域Ａ３７ｉｐを非肌側及び肌側の両側から視認可能である。
【００８１】
一方、着色以外の方法で色違い領域Ａ３７ｉｐを形成してもよい。例えば、切り欠き部含有部分３７ｉｐに重なるように別シート（不図示）を設けることによって、切り欠き部含有部分３７ｉｐに上述の色違い領域Ａ３７ｉｐを形成しても良い。なお、その場合には、別シートは、腹側帯部材３１の肌側又は非肌側に配置しても良いし、或いは、腹側帯部材３１の二枚の不織布３２，３３同士の間に介在させても良い。
【００８２】
また、ここで言う「異なる色」とは、２つの領域の色の色差を肉眼で視認できる二つの色のことである。「色差」については、測定対象となる２点（２つの領域）について市販の測色器を用いて測色を行い、ＪＩＳＺ８７２９等に規定されるＣＩＥ１９７６（L*a*b*）色空間に基づいて数値化した値を比較することによって求めることができる。具体的には、測定対象たる２点間のL*値の差がΔL*、a*値の差がΔa*、b*値の差がΔb*であるときに、色差は、数式ΔE*ab＝[(ΔL*)2＋(Δa*)2＋(Δb*)2]1/2で求められる。そして、ここでは、この色差ΔE*abが１．５以上、望ましくは３．０以上である場合に、「互いに異なる色」であるものとする。ΔE*ab値が１．５以上であれば、人間が肉眼で感知し得る程度に色が異なると言えるため、おむつ交換の作業者は、当該切り欠き部含有部分３７ｉｐの色違い領域Ａ３７ｉｐを視認することができる。
【００８３】
図７は、パンツ型使い捨ておむつ１の変形例の説明図である。上述の実施形態では、図６Ａに示すように、カット部の一例として、切り欠き部３７を例示した。すなわち、切り取り面積を有するカット部３７を例示したが、この変形例では、図７に示すように、カット部が線状のスリット部３７ｓであって、つまり、カット部３７ｓが、切り取り面積を有さないものである点で相違する。そして、主にこの点で上述の実施形態と相違し、これ以外の点は、概ね前述の実施形態と同じである。よって、以下では、この相違点について主に説明する。
【００８４】
この変形例では、腹側帯部材３１の上縁部３１ＢＨは、前述の各端部１ｅｗ，１ｅｗよりも横方向の内側の位置に、下方に直線状に延びたスリット部３７ｓを有している。よって、おむつ１を横方向に広げると、当該スリット部３７ｓが横方向に開くことから、その開く分だけ胴回り開口ＢＨを大きく広げることができて、その結果、おむつ１を履かせ易くなる。
【００８５】
但し、このスリット部３７ｓの場合には、スリット部３７ｓにおける上側部分の横方向の両側に位置するコーナー部分３７ｓｃ，３７ｓｃが、図７中に一点鎖線で示す折れ線ＬＢ３７ｓｃでもって三角形状に折れ返り易く、その結果、胴回り開口ＢＨの触感が悪くなる恐れがある。そのため、このような折れ返りを防ぐ観点からは、前述の切り欠き部３７の方がスリット部３７ｓよりも望ましい。
かかるスリット部３７ｓの上下方向の長さＬ３７ｓは、例えば型紙状態で５ｍｍ〜５０ｍｍの範囲から選択され、望ましくは１０ｍｍ〜３０ｍｍの範囲から選択される。また、スリット部３７ｓの形状は、何等上述の直線状に限らず、例えば、円弧などの曲線状でも良いし、ジグザク線状や波線状でも良い、
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８６】
上述の実施形態等では、図４Ａに示すように、腹側帯部材３１の上縁部３１ＢＨは、切り欠き部３７以外の位置において前述の仮想直線Ｌｕ上に位置し、また、背側帯部材４１の上縁部４１ＢＨも、横方向の全長に亘って仮想直線Ｌｕ上に位置していた。しかし、何等これに限らない。例えば、図８Ａに示すように、切り欠き部３７以外の位置において腹側帯部材３１の上縁部３１ＢＨの形状が、下に凸の円弧状であり、また、背側帯部材４１の上縁部４１ＢＨの形状も、横方向の全長に亘って下に凸の円弧状であっても良い。言い換えると、切り欠き部３７以外の位置においても腹側帯部材３１の上縁部３１ＢＨが部分的又は全体的に仮想直線Ｌｕより下方に位置していても良いし、背側帯部材４１の上縁部４１ＢＨも、部分的又は全体的に仮想直線Ｌｕより下方に位置していても良い。更には、腹側帯部材３１の上縁部３１ＢＨと背側帯部材４１の上縁部４１ＢＨとが、上下方向の位置に関して一致していなくても良い。例えば、図８Ｂに示すように、腹側帯部材３１の上縁部３１ＢＨの方が背側帯部材４１の上縁部４１ＢＨより下方に位置していても良いし、その逆でも良い。また、このことは、横方向に関して部分的であっても良いし全長に亘ってでも良い。なお、その場合に、切り欠き部３７以外の位置における各上縁部３１ＢＨ，４１ＢＨの仮想直線Ｌｕからの上下方向の離間距離の最大値Ｌ３１ＢＨｄ，Ｌ４１ＢＨｄは、例えば１ｍｍ〜４０ｍｍの範囲から選択される。
【００８７】
上述の実施形態等では、図２に示すように、腹側帯部材３１と背側帯部材４１とが横方向の端部３１ｅ，４１ｅで接合されることによって、おむつ１の横方向の端部１ｅｗが謂わば接合部の形態で形成されていたが、何等これに限らない。例えば、図９に示すように、一つの帯部材５１が横方向の両側においてそれぞれ折り返されることにより、おむつ１の横方向の各端部１ｅｗ，１ｅｗが折り曲げ部５１ｂｎ，５１ｂｎの形態で形成されても良い。なお、この場合には、帯部材５１のうちの折り返された各部分５１ｆ，５１ｆは、それぞれ吸収性本体１０において背側部４０を構成する部分１０ｐ２に接合されるとともに、同帯部材５１のうちで上記折り返された各部分５１ｆ，５１ｆ同士の間の部分５１ｃは、吸収性本体１０において腹側部３０を構成する部分１０ｐ１に接合されることになる。
【００８８】
上述の実施形態等では、パンツ型使い捨ておむつの一例として３ピースタイプのおむつ１を例示したが、何等これに限らない。例えば、おむつの外装をなす外装シートを第１部品として有し、外装シートの肌側面に固定される吸収性本体を第２部品として有した２ピースタイプのパンツ型使い捨ておむつに、本発明の構成を適用しても良い。また、略砂時計形状のトップシートと略砂時計形状のバックシートとの間に吸収体が介挿された形態のパンツ型使い捨ておむつに、本発明の構成を適用しても良い。
【符号の説明】
【００８９】
１  パンツ型使い捨ておむつ、１ｅｗ  端部、１ｅｗｕ  上端、
１０  吸収性本体、１０ｐ１  部分、１０ｐ２  部分、１０ｐ３  部分、
１０ＬＧ  部分、１０ｅａ  端部、１０ｅｂ  端部、１０ｅｕ  上端、
１１  吸収体、１１ｃ  吸収性コア、１１ｃｅｕ  上端、
１３  トップシート、１５  バックシート、１５ａ  防漏シート、１５ｂ  外装シート、
１６  弾性部材、
１７  レッグサイドギャザーシート、１７ＬＳＧ  部分、
１８  弾性部材、
２０  股下部、
３０  腹側部、３１  腹側帯部材、３１ＢＨ  上縁部、
３１ＢＨＰＢ  部分、３１ＢＨＳ  部分、３１ｅ  端部、３１ｅＬ  端部、
３２  不織布、３３  不織布、
３５  弾性部材、３５ａ  弾性部材、３５ｂ  弾性部材、３５ｃ  弾性部材、３５ｄ  弾性部材、
３７  切り欠き部（カット部、凹部）、３７ｅｄ  下端、３７ｅｕ  上端、
３７ｉｐ  切り欠き部含有部分（カット部含有部分）、
３７ｓ  スリット部（カット部）、３７ｓｃ  コーナー部分、
４０  背側部、４１  背側帯部材、４１ＢＨ  上縁部、４１ｅＬ  端部、
４２  不織布、４３  不織布、４５  弾性部材、
４７  切り欠き部（カット部）、
５１  帯部材、５１ｆ  折り返された部分、５１ｃ  部分、５１ｂｎ  折り曲げ部、
Ａ１  第１領域、Ａ１ａ  所定領域、Ａ１ａｅｗ  両端、Ａ２  第２領域、
Ａ１０  位置、Ａ３７  範囲、Ａ３７ｉｐ  色違い領域、
ＢＨ  胴回り開口、ＬＨ  脚回り開口、
ＣＬ１  中央位置、ＣＬ１０  所定位置、
Ｌｕ  仮想直線、ＬＧ  レッグギャザー、ＬＳＧ  レッグサイドギャザー、
ＬＢ３７ｓｃ  折れ線、
Ｐ１０ｗ  両端、Ｐ１１ｃｗ  両端、
Ｆ  引っ張り力、
【図１】
0006421108.tif 000002
【図２】
0006421108.tif 000003
【図３Ａ】
0006421108.tif 000004
【図３Ｂ】
0006421108.tif 000005
【図４Ａ】
0006421108.tif 000006
【図４Ｂ】
0006421108.tif 000007
【図５】
0006421108.tif 000008
【図６Ａ】
0006421108.tif 000009
【図６Ｂ】
0006421108.tif 000010
【図７】
0006421108.tif 000011
【図８】
0006421108.tif 000012
【図９】
0006421108.tif 000013